(57)【要約】  間隔を置かれた２つの構造部材の間の伸縮継手に配置された開口に架設するためのカバーアセンブリ。カバーアセンブリは、弾性エラストマカバーと係合させられた剛性プレート部材を有するカバープレートを有する。カバーアセンブリは、ベース部材によって、下側に位置する構造部材に固定されている。伸縮継手間隙内でのカバーアセンブリの適切な位置決めは、カバープレート及びベース部材と係合させられた位置決めアセンブリを介して維持される。
2010510416.tif 000002
【特許請求の範囲】
【請求項１】
構造部材の間の間隙のためのカバーアセンブリにおいて、
前記構造部材のうちの少なくとも一方に固定された少なくとも１つのベース部材と、
細長い弾性カバーと剛性プレート部材とを有するカバープレートが設けられており、前記細長い弾性カバーが、支持面とは反対側の荷重支持面を有しており、前記剛性プレート部材が、前記細長い弾性カバーと係合させられておりかつ前記構造部材の間の前記間隙に架設されており、
前記カバープレート及び少なくとも１つのベース部材に係合させられた位置決めアセンブリが設けられていることを特徴とする、構造部材の間の間隙のためのカバーアセンブリ。
【請求項２】
前記細長い弾性カバーが、周縁部を有しており、該周縁部が、前記カバーを横切る交通を支持するための傾斜面を提供するためのテーパした面を有している、請求項１記載のカバー。
【請求項３】
前記細長い弾性カバーの前記荷重支持面が、前記カバーを横切る交通の方向に対して直行して延びるように配置された、間隔を置かれた起立したリブを有する、請求項１記載のカバーアセンブリ。
【請求項４】
前記カバープレートを前記位置決めアセンブリに係合させるための機械的締結具が設けられており、該締結具が、ねじ、ボルト、釘、リベット及びこれらの組み合わせから成るグループから選択されている、請求項１記載のカバーアセンブリ。
【請求項５】
前記細長い弾性カバーが、エラストマ材料から成る、請求項１記載のカバーアセンブリ。
【請求項６】
前記エラストマ材料が、ブタジエンゴム、スチレン−ブタジエンゴム、ブチルゴム、エチレン−プロピレンゴム、エチレン−プロピレン−ジエンゴム、ポリイソプレンゴム、ポリクロロプレンゴム、シリコーンゴム、ニトリルゴム及びこれらの組み合わせから成るグループから選択されている、請求項５記載のカバーアセンブリ。
【請求項７】
前記エラストマ材料が、エチレン−プロピレン−ジエンゴムから成る、請求項６記載のカバーアセンブリ。
【請求項８】
前記カバープレートが、前記エチレン−プロピレン−ジエンゴム内に包囲された少なくとも１つの剛性プレートを含む、請求項７記載のカバーアセンブリ。
【請求項９】
前記カバーアセンブリがさらに、前記剛性プレート部材の向き合った側部に沿って延びるように前記細長い弾性カバーによって包囲された少なくとも２つのプレート部材を含む、請求項８記載のカバーアセンブリ。
【請求項１０】
前記位置決めアセンブリが、カバープレート位置決め部材と、抵抗構成要素と、選択的に保持構成要素とを含む、請求項１記載のカバーアセンブリ。
【請求項１１】
前記抵抗構成要素が、圧縮ばね、板ばね、エラストマばね、エラストマブシュ、ガスばね、ばね軸受及びこれらの組み合わせからなるグループから選択されている、請求項１０記載のカバーアセンブリ。
【請求項１２】
前記抵抗構成要素が、圧縮ばねを含む、請求項１１記載のカバーアセンブリ。
【請求項１３】
前記ベース部材が、アルミニウム押出し成形品を含み、
前記細長い弾性カバーが、エチレン−プロピレン−ジエンゴムから成り、
前記位置決めアセンブリが、カバープレート位置決め部材と、鋼製圧縮ばねと、保持ナットとを含み、
前記カバープレートが、締結具によって前記位置決めアセンブリに係合させられている、請求項１記載のカバーアセンブリ。
【請求項１４】
前記締結具が、前記カバープレートと係合させられたボルトを含む、請求項１３記載のカバーアセンブリ。
【請求項１５】
前記締結具が、実質的に前記カバープレートの中央領域に沿って係合させられている、請求項１４記載のカバーアセンブリ。
【請求項１６】
建築構造物のための伸縮継手において、
間に間隙を形成した２つの間隔を置かれた構造部材と、
前記構造部材のうちの少なくとも一方に固定された少なくとも１つのベース部材と、
細長い弾性カバーと剛性プレート部材とを有するカバープレートとが設けられており、前記細長い弾性カバーが、支持面とは反対側の荷重支持面を有しており、前記剛性プレート部材が、前記細長い弾性カバーと係合させられておりかつ前記構造部材の間の前記間隙に架設されており、
前記カバープレート及び少なくとも１つのベース部材と係合させられた位置決めアセンブリが設けられていることを特徴とする、建築構造物のための伸縮継手。
【請求項１７】
前記細長い弾性カバーが、前記カバーを横切る交通を支持するための傾斜した面を提供するためのテーパした面を有している、請求項１６記載の伸縮継手。
【請求項１８】
前記細長い弾性カバーの前記荷重支持面が、前記カバーを横切る交通の方向に対して直交して延びるように配置された、間隔を置かれた直立したリブを有する、請求項１６記載の伸縮継手。
【請求項１９】
前記カバープレートを前記位置決めアセンブリに係合させるための機械的締結具が設けられており、前記締結具が、ねじ、ボルト、釘、リベット及びこれらの組み合わせからなるグループから選択されている、請求項１６記載の伸縮継手。
【請求項２０】
前記細長い弾性カバーが、エラストマ材料から成る、請求項１６記載の伸縮継手。
【請求項２１】
前記エラストマ材料が、ブタジエンゴム、スチレン−ブタジエンゴム、ブチルゴム、エチレン−プロピレンゴム、エチレン−プロピレン−ジエンゴム、ポリイソプレンゴム、ポリクロロプレンゴム、シリコーンゴム、ニトリルゴム及びこれらの組み合わせから成るグループから選択されている、請求項２０記載の伸縮継手。
【請求項２２】
前記エラストマ材料が、エチレン−プロピレン−ジエンゴムから成る、請求項２１記載の伸縮継手。
【請求項２３】
前記カバープレートが、前記剛性プレート部材の向き合った側部に沿って延びるように前記細長い弾性カバーによって包囲された少なくとも２つのプレート部材を含む、請求項２２記載の伸縮継手。
【請求項２４】
前記位置決めアセンブリが、カバープレート位置決め部材と、抵抗構成要素と、選択的に保持構成要素とを含む、請求項１６記載の伸縮継手。
【請求項２５】
前記抵抗構成要素が、圧縮ばね、板ばね、エラストマばね、エラストマブシュ、ガスばね、ばね軸受及びこれらの組み合わせからなるグループから選択されている、請求項２４記載の伸縮継手。
【請求項２６】
前記抵抗構成要素が、圧縮ばねを含む、請求項２５記載の伸縮継手。
【請求項２７】
前記ベース部材が、アルミニウム押出し成形品を含み、
前記細長い弾性カバーが、エチレン−プロピレン−ジエンゴムから成り、
前記位置決めアセンブリが、カバープレート位置決め部材と、鋼製圧縮ばねと、保持ナットとを含み、
前記カバープレートが、締結具によって前記位置決めアセンブリに係合させられている、請求項１６記載のカバーアセンブリ。
【請求項２８】
前記締結具が、前記カバープレートに係合させられたボルトを含む、請求項２７記載の伸縮継手。
【請求項２９】
前記締結具が、実質的に前記カバープレートの中央部分に沿って係合させられている、請求項２８記載の伸縮継手。
【請求項３０】
前記細長い弾性カバーが、前記カバーの弾性変形を許容し、かつ前記交通支持面を横切る交通によって弾性変形させられながら前記カバーの向き合った側部を水平な構造部材に向かって押し付ける方向で押付け力を提供するために、前記剛性プレート部材に向き合った側部に沿って延びている、請求項２３記載の伸縮継手。
【発明の詳細な説明】
【技術分野】
【０００１】
隣接する水平の構造物の間の開口に亘って配置するための保護カバーアセンブリが開示されている。保護カバーアセンブリは、間隔を置いて配置された隣接する２つの水平なコンクリート構造物の間の間隙又は開口に亘って延びている。保護カバーアセンブリは、隣接する水平なコンクリート構造物の間の間隙を横切る歩行者又は車両の滑らかな移行を可能にする。
【０００２】
背景
伸縮継手は、温度変化、地震サイクル及び振動による膨張及び収縮として生じる、隣接するコンクリート構造物への寸法変化を許容するために、隣接するコンクリート構造物の間の間隙に意図的に設けられている。伸縮継手は、水及び異物の進入、摩耗、継手を横切る自動車の通過によって生ぜしめられるせん断力、引張力及び圧縮力によって損傷される場合がある。
【０００３】
端部対端部関係で配置された細長い金属プレートは、歩行者及び車両交通による損傷から伸縮継手を保護するために、コンクリート構造物にボルト締結されている。しばしば、金属プレートは変形し、特に隣接するコンクリート構造物の交通支持上面が不規則である又は波形でありひいては金属プレートのための所要の均一な平坦な支持を提供できない場合に、コンクリート構造物との均一に着座した係合を形成しない。このような条件下では、金属プレートは、交通の衝撃荷重により曲げられかつ歪められ、取付けボルトに関して緩みの状態を獲得し、これは、取付けボルトが曲がる又は破損する場合にさらに劣化する。金属プレートが取付けボルトから解離される前でさえも、金属プレートは、隣接するコンクリート構造物に抗したそれぞれの撓みと共に迷惑な騒音を生じる。付加的に、コンクリート構造部材の表面は、常に完全に均一であるわけではなく、しばしば正方形又は滑らかな表面を備えて製造されていないことが広く知られている。これらのコンクリート構造部材は通常は粗く、しばしば実質的に不規則な又は波形の間隙を有しているか、又はコンクリートのかなりの量の全体を失っている。さらに、しばしば、コンクリートの定着により、２つの構造部材の間の垂直方向ずれが存在する。
【０００４】
したがって、伸縮継手を劣化から保護しかつ伸縮継手開口を横切る滑らかな移行を提供するために、間隔を置いて配置された構造部材の間の間隙又は開口を横切って延びるための改良されたカバーアセンブリが技術分野において必要とされている。
【０００５】
概要
構造部材の間の間隙のためのカバーアセンブリであって、前記構造部材に固定された少なくとも１つのベース部材と、支持面とは反対側の荷重支持面を有する細長い弾性カバーを含むカバープレートと、前記構造部材の間の前記間隙に架設されかつ前記細長い弾性カバーと係合させられた剛性プレートと、前記カバープレート及びベース部材と係合させられた位置決めアセンブリとを有するカバーアセンブリが提供されている。
【０００６】
また、建築構造物のための伸縮継手であって、間に間隙を形成した、間隔を置いて配置された２つの構造部材と、前記構造部材に固定された少なくとも１つのベース部材と、支持面とは反対側の荷重支持面を有する細長い弾性カバーと、前記細長い弾性カバーと係合した前記構造部材の間の前記間隙に架設された剛性プレート部材と、前記剛性プレートとベース部材とに係合させられた位置決めアセンブリとを有する伸縮継手が提供される。
【図面の簡単な説明】
【０００７】
【図１】アセンブリの例示的な実施形態の断面における正面図である。
【図２】アセンブリの別の例示的な実施形態の断面における正面図である。
【図３】アセンブリのさらに別の例示的な実施形態の断面における正面図である。
【０００８】
詳細な説明
構造部材の間の間隙又は開口に架設するためのカバーアセンブリが提供される。カバーアセンブリは、下側に位置する構造部材によって提供される支持部位の構成に従うための弾性を有する。概して、カバーアセンブリは、下側に位置する水平な構造部材に固定された１つ又は２つ以上のベース部材と、１つ又は２つ以上のベース部材と係合させられた位置決め部材と、支持面とは反対側の交通支持面を有する細長い弾性カバーと、カバー及び位置決め部材と係合させられた少なくとも１つの剛性プレートとを有している。カバーアセンブリは、ベース部材を位置決め部材に係合させるための、弾性部材に沿った間隔を置いて配置された部位に、１つ又は２つ以上の機械的な締結具をも有する。
【０００９】
建築構造物のための伸縮継手も提供される。伸縮継手は、間に間隙又は開口を形成する間隔を置いて配置された隣接する構造部材を有する。カバーアセンブリは、伸縮継手を保護するために及び伸縮継手を横切る歩行者又は車両交通の滑らかな移行を提供するために、伸縮継手を横切って固定されている。カバーアセンブリは、下側に位置する間隔を置いて配置された構造部材に固定された１つ又は２つ以上のベース部材を有する。位置決め部材は、構造部材に固定された１つ又は２つ以上のベース部材と係合させられている。カバーアセンブリは、支持面とは反対側の交通支持面を有する細長い弾性カバーを有するカバープレートを含む。支持面は、反対側の側縁部に沿った縁部支持領域を有している。カバーアセンブリは、下側に位置するベース部材の間の間隙に架設するための細長い弾性カバーと係合させられる少なくとも１つの剛性プレート部材をも有する。カバーアセンブリは、ベース部材を位置決め部材に係合させるために、弾性カバーに沿った間隔を置いた部位に、１つ又は２つ以上の締結具をも有する。
【００１０】
カバープレートの剛性プレート部材は、２つの下側に位置する構造部材の間の間隙に架設するために十分な幅を有する。幾つかの実施形態によれば、付加的なプレート部材が、弾性カバーと係合させられてよく、カバーの向き合った側縁部をベース部材と支持係合させるために働く。
【００１１】
弾性カバーは、カバーの縁部支持領域と下側に位置するベース部材との間の支持接触を確立するために弾性変形するための厚さ及び十分な弾性を有している。制限なく、弾性カバーを形成するために使用される適切なエラストマ材料は、スチレン−ブタジエンゴム（ＳＢＲ）、ブタジエンゴム（ＢＲ）、ブチルゴム、エチレン−プロピレンゴム（ＥＰＭ）、エチレン−プロピレン−ジエンゴム（ＥＰＤＭ）、ポリイソプレンゴム、ポリクロロプレンゴム、様々なエチレン−アルケン共重合体ゴム、シリコンゴム、ニトリルゴム、及びこれらの組み合わせを含む。
【００１２】
幾つかの実施形態によれば、カバープレートの弾性カバーを形成するために、エチレン−プロピレン−ジエンゴム（ＥＰＤＭ）が使用される。弾性カバーを形成するために使用される特に適したＥＰＤＭゴム組成は、ＳＡＮＴＯ−ＰＲＥＮＥＮＥ(R)の商品名でAdvanced Elastomer Systems, L.P. （オハイオ州、アクロン）から市販されている。カバーアセンブリのベース部材は、構造部材の周縁部（又は縁部）に沿って、下側に位置する構造部材の上面に固定されているか又は取外し可能に係合させられており、構造部材の間の間隙の境界を規定している。
【００１３】
カバーアセンブリは、弾性エラストマカバーと係合させられた少なくとも１つの剛性プレート部材を有する。剛性プレート部材は、間隔を置いて配置された構造部材の間に配置された伸縮継手開口の幅に亘って延びる十分な幅を有する。幾つかの実施形態によれば、剛性プレートは、エラストマカバー材料内に剛性プレートを包囲することによって弾性エラストマカバーと係合させられている。択一的に、剛性プレートは、機械的締結具又は接着剤等のあらゆる適切な手段によって弾性エラストマカバーの下側支持面に固定されていてよい。
【００１４】
間隔を置いて配置された構造部材の間の伸縮継手開口に亘って延びた剛性プレートに加えて、カバーアセンブリは、伸縮継手開口に亘って延びた剛性プレートの向き合った側部において並列関係で延びた弾性エラストマカバーと係合させられた付加的な剛性プレート部材をも有していてよい。これらの付加的な剛性プレート部材は、伸縮継手開口に亘って延びた剛性プレート部材と同じ形式で弾性エラストマカバーと係合させられていてよい。剛性プレート部材の向き合った側部に配置された付加的なプレート部材の別の提供は、弾性カバーの弾性変形を許容し、前記荷重支持面を横切る交通によって弾性変形させられた時にカバーの向き合った側部を水平な構造部材に向かって押し付けるための方向で押付け力を提供する。
【００１５】
カバーアセンブリは、ベース部材及びカバープレートと係合させられた位置決めアセンブリをも有する。位置決めアセンブリは、間隔を置いて配置された構造部材の間の伸縮継手間隙内のカバープレートの実質的に中心合わせされた位置を維持するために、及び間隙を横切る滑らかな移行を提供するために、使用されることができる。
【００１６】
締結具は、カバープレートを位置決めアセンブリに係止するために、カバープレートの部分に沿った間隔を置いて配置された部位においてカバープレートと係合させられている。位置決め部材は、伸縮継手の周縁の間に位置決めされてよく、構造部材の間の間隙のそれぞれの側においてベース部材と係合させられてよい。制限なく、位置決め部材は、伸縮継手の開口上で実質的に中心合わせされたカバープレートを維持する。
【００１７】
２つの構造部材の間の間隙のためのカバーアセンブリの装着のための方法も提供される。この方法は、少なくとも１つのベース部材を提供し、間隙の境界を規定する構造部材の周縁（又は縁部）に沿って間隔を置いて配置された構造部材の上面にベース部材を係合させることを含む。方法はさらに、伸縮継手開口の周縁の間に位置決め部材を配置し、位置決め部材をベース部材と係合させることを含む。カバープレートの細長い弾性カバーの支持面は、カバープレートと係合させられた剛性プレートを有しており、下側に位置する構造部材の上面と接触させられる。カバープレートは少なくとも１つの締結具によって位置決め部材と係合させられる。
【００１８】
図１から図３までに示された例示的実施形態によれば、構造部材１０及び１２は間隙１４によって分離されている。構造部材１０及び１２は、車両及び歩行者交通のための通路を形成するために使用される前もって成形されたスラブであってよい。構造部材１０及び１２は、下側に位置する上部構造（図示せず）によって支持されている。示された実施形態において、構造部材１０及び１２は、ベース部材１８及び２０を収容するための空間を提供するために除去された材料を有する。除去された材料によって規定された領域はしばしば当該技術分野において"ブロックアウト"と呼ばれている。ブロックアウト領域はそれぞれ、構造部材１０及び１２における１０Ａ及び１２Ａとして示されている。幾つかの実施形態において、材料の除去は、ベース部材が、構造部材内に少なくとも部分的に凹まされることを許容する。幾つかの実施形態においては、ベース部材の凹みは、完全に装着されたカバーアセンブリと、下側に位置する水平な構造部材の上部の交通支持面との全体的な高さの差を減じる。
【００１９】
ベース部材１８及び２０は、構造部材１０及び１２と、カバーアセンブリのその他の構成部材との間の境界面を提供する。ベース部材１８及び２０は、位置決め部材６０と係合し、細長いカバープレート２４を支持する。図１及び図２に示されているように、それぞれのベース部材１８及び２０は、１つの一体的な部分として提供されてよい。図３によれば、それぞれのベース部材１８及び２０は、複数の部材又はサブアセンブリから成ってよい。図３に示された実施形態によれば、ベース部材を構成する部材又はサブアセンブリは、締結具又は接着剤又はその他の手段によって結合されていてよい。
【００２０】
ベース部材は、ベース部材上に配置された構成要素と、交通によってこれらの構成要素に与えられる荷重とを支持するための強度を有する。ベース部材は、ベース部材に提供されてよい力に耐えるのに十分な強度の材料から成ってよい。これらの力は、特定の用途に依存し、当業者によって容易に決定されることができる。制限なく、カバーアセンブリのベース部材を製造するために使用されてよい適切な材料は、金属、合金及びポリマを含む。
【００２１】
図１から図３までに示された実施形態によれば、ベース部材は上面を有しており、この上面に付加的な構成要素がベース部材による支持のために位置決め又は載置されてよい。ベース部材は、下側に位置する構造部材の支持領域と接触して位置決めされた１つまたは複数の底面を有している。構造部材の支持領域と接触した支持面は、プレート、リブ又はその他の構造を含んでよい。図３に示された実施形態によれば、ベース部材は、接着剤又はエラストマコンクリートを用いた結合を促進するための構造を含んでよい。幾つかの実施形態において、部材は、ベース部材と下側に位置する構造部材との間の境界面として働く、接着剤又はセメント質組成と接触して位置決めされた１つ又は複数の底面を有している。
【００２２】
択一的に、ベース部材は機械的締結具を用いて構造部材に取り付けられている。機械的締結具は、アンカ、ボルト、釘、リベット、ねじ、鋲及び同様のものを含んでいてよい。幾つかの実施形態において、ベース部材はエラストマコンクリートを用いて構造部材に取り付けられている。幾つかの実施形態において、ベース部材は整合スロットを含む。
【００２３】
ベース部材は、適切なキャビティ、ハウジング、切欠、通路、凹所、スロット、軌道、レール、ピン、溝又は位置決め部材が係合されてよいその他の特徴を含む。幾つかの実施形態において、ベース部材は、キャビティ、ハウジング、切欠、通路、凹所、スロット、軌道、レール、ピン、溝又はその他の特徴に係合するための部材を含み、これらに、中心合わせアセンブリのキャビティ、ハウジング、切欠、通路、凹所、スロット、軌道、レール、ピン、溝又はその他の特徴が係合させられてよい。
【００２４】
図１から図３までに示された実施形態によれば、位置決め部材６０は、ベース構成要素とカバープレート２４との間の境界面を提供している。位置決め部材６０は、構造部材１０及び１２の間の間隙１４に位置決めされている。位置決め部材６０は、少なくとも２つの端部と、少なくとも１つの抵抗構成要素６４と、選択的に保持構成要素６８とを有するカバープレート位置決め部材６２を含む。図１及び図２に示された実施形態によれば、位置決め部材６０は、ワイヤコイルばねから成る、少なくとも１つの抵抗構成要素６４を有する。図３に示された択一的な実施形態によれば、位置決め部材は、エラストマばねから成る、２つの抵抗構成要素６４を有する。
【００２５】
弾性カバープレート位置決め部材６２は、ベース部材１８及び２０と、１つ又は２つ以上の抵抗構成要素６４との間で力を伝達する構成要素である。部材６２は、ベース部材１８及び２０と係合させられる。係合により、部材６２のそれぞれの端部は、その特定の端部を保持するベース部材によって規定された経路に沿って並進する。係合は実質的に部材６２の回転を可能にする。係合のこの形式の結果、部材６２の端部は、間隙の幅の変化に応答して個々のベース部材の規定された経路に沿って摺動する。部材６２の端部の摺動は部材６２の回転を生じる。
【００２６】
間隙１４の収縮の間、部材６２の端部の間の距離は長手方向で減少するが、部材６２の長さが変化する必要がないように、横方向、垂直方向又はその両方において、部材６２の端部の間の距離を増大させることによって、平衡が維持される。間隙１４の拡大の間、部材６２の端部の間の距離は長手方向で増大するが、部材６２の長さが変化する必要がないように、横方向、垂直方向又はその両方において、部材６２の端部の間の距離を増大させることによって、平衡が維持される。軌道、スロット、軌道、レール、ピン、溝又はその他の特徴のタイプが、間隙の幅の変化に応答して部材６２の端部が並進する経路を規定する。幾つかの実施形態において、ベース部材１８及び２０と、部材６２との間の結合は、ベース部材における雌軌道と、部材６２の端部における雌シャトルとを含む。択一的に、ベース部材における軌道は、線形であり、互いに対して平行であり、交通支持面に対して平行である。幾つかの実施形態において、部材６２の端部における雄シャトルは実質的に球形又は円筒形であり、雌軌道内において摺動するようになっている。部材６２の端部は、球形であってよく、関連するベース部材における円形横断面の雌軌道内において摺動するようになっていてよく、部材６２の他方の端部は、異なる形状であってよく、関連するベース部材における円形断面の雌軌道内において摺動するようになっている。
【００２７】
抵抗構成要素６４は、部材６２と保持構成要素６８との向き合った面の間、又は部材６２と保持構成要素６８との間及び部材６２とカバープレート２４との間に位置決めされている。図１及び図２に示されているように、１つの抵抗構成要素６４が部材６２と保持構成要素６８との間に位置決めされている。図３に示された実施形態において、部材６２と保持構成要素６８との間に１つの抵抗構成要素６４が、部材６２とカバープレート２４との間に１つの抵抗構成要素６４が設けられている。抵抗構成要素６４は、変位させられた時に復元抵抗力を生じるあらゆる構成要素であることができる。図１及び図２に示されているように、抵抗構成要素は円筒形コイル圧縮ばねである。このような実施形態において、コイルは金属又はポリマ又は両方から成っていてよい。図３に示された別の実施形態において、抵抗構成要素６４はエラストマばね軸受である。制限なく、エラストマばね軸受は、ポリウレタン、シリコーン、又はその他のエラストマ材料から成っていてよい。幾つかの実施形態において、抵抗構成要素６４は、円筒形コイルばね、非円筒形コイルばね、板ばね、エラストマばね、エラストマブシュ、ガスばね、ばね軸受及びこれらの組み合わせを含んでいてよい。
【００２８】
保持構成要素６８は係止締結具３４を保持し、係止締結具３４と位置決め部材６０との間の結合又は係合を提供する。保持構成要素６８は係止締結具３４との係合のための手段を有する。保持構成要素６８を締結具３４と係合させるための手段は、ねじ山結合、接着剤、溶接、ろう接、機械的締結具、締まりばめ、フック及びこれらの組み合わせを含んでいてよい。係止締結具３４との係合のための手段は、雄ねじ山付き係止締結具３４を受容するための雌ねじ山付き穴を含んでいてよい。保持構成要素６８は、抵抗構成要素６４からの力が作用してよい構成要素として働き、保持構成要素を介して、力が係止締結具３４に伝達されてよい。保持構成要素は、円形のディスク、矩形のプレート、球体、円筒体、及び円錐体を含むがこれらに限定されない様々な形態を取ってよい。
【００２９】
位置決め部材６０は、力を伝達し、この力は、カバープレート２４の変位に応答して１つ又は複数の抵抗構成要素を変位させる。１つ又は複数の抵抗構成要素６４の圧縮又は伸長は、復元抵抗力を生じ、この復元抵抗力は、カバープレート２４の下面とベースエレメント１８及び２０の上面との間の接触を維持又は復元するためにカバープレート２４に力を提供するために位置決め部材６０を介して作用する。
【００３０】
カバーアセンブリ２２のカバープレート２４は、ベース部材１８及び２０の間の間隙１４の向き合った側部に沿って延びるように配置された細長い弾性カバー２４Ａを含む。カバー２４Ａは、便利な取扱い及び装着を可能にするために適切に選択された所定の長さを有しており、一連のカバー２４Ａは、延長された間隙の全長を保護するために端部対端部の関係で配置されていてよい。図１及び図２の間の対照によって示されているように、細長い弾性カバー２４Ａの形状は、種々異なる条件に適応させるために変更されてよい。
【００３１】
カバー２４Ａは、実質的に上方に向けられた荷重支持面２６を有する可撓性の弾性条片状部材を含む。荷重支持面２６は、改良された牽引のために交通の方向に対して横方向に延びるように配置された間隔を置かれた起立したリブ２６Ａを有する。上方に向けられた荷重支持面２６とは反対側に、実質的に下方に向けられた支持面２７が設けられている。支持面２７は、各ベース部材における支持面と係合している。カバーの向き合った側方末端縁部は、構造部材１０及び１２のうちの１つの交通支持面からカバー２２へ、さらにカバー２２から構造部材１０及び１２のうちの１つの交通支持面への移行を滑らかにするために傾斜した平面を提供するためにテーパした面２４Ｂを有している。
【００３２】
図１から図３までに示されているように、間隔を置かれた、実質的に平行な３つのプレート部材２８，３０及び３２がエラストマカバー２４Ａ内に包囲されている。プレート部材３０は、実質的に中央位置に配置されており、間隙１４上に位置しており、交通から構造部材１０及び１２の上面へ力を伝達するためのブリッジを形成することによって間隙１４と構造部材１０及び１２の縁部とを保護している。プレート部材２８及び３２は選択的であり、ベース部材１８及び２０と接触したテーパした面２４Ｂを保持するための構造及び弾性を提供する。プレート部材は、完全包囲、部分包囲、接着剤、機械的締結具、又はこれらの組み合わせから成るグループから選択された手段によってエラストマカバー２４Ａに結合されていてよい。適切な機械的締結具は、釘、ねじ、鋲、ボルト及びリベットを含むがこれらに限定されない。機械的締結具は金属又はポリマ材料から形成されることができる。剛性のプレート部材は、圧延された鋼、ステンレス鋼、亜鉛めっき鋼、アルミニウム板、又はプレート部材が曝される力に適した強度のその他の材料であってよい。これらの力は、特定の用途に依存し、当業者によって容易に決定されることができる。幾つかの実施形態において、全ての剛性プレートは同じ材料から成っている。幾つかの実施形態においては、プレート部材は亜鉛めっき鋼板である。
【００３３】
幾つかの実施形態において、細長い弾性カバー２４Ａは、約７０以上のショアーＡ硬度を有するゴム材料を降伏させるために、充填剤及び可塑剤を含むエラストマ材料から成る。"エラストマ"という言葉は、ゴムのような特性を有する材料を指し、例えば、エラストマ材料は、圧縮及び／又は延長の後に実質的に元の寸法に復元する。あらゆるエラストマ材料は、カバープレート２４の弾性カバー２４Ａを提供するために使用されてよく、カバー２４Ａは、歩行者又は車両交通のための間隙又は開口上の滑らかな移行を提供するために、カバーアセンブリの縁部支持領域と下側に位置する水平な構造部材との間の支持接触を形成するように弾性変形するために、所定の厚さ及び十分な弾性を有するように製造されることができる。
【００３４】
カバー２４Ａは、締結具の外れ及び破損を回避するために、間隔を置かれた締結具受容穴が弾性変形から制約されるように、弾性材料から成る。カバーの弾性構造は、下側に位置する支持構造との支持接触への弾性適合を可能にし、これは、支持接触の損失なしに不規則な構成を有することができる。これは、プレート２８，３０及び３２の質量によって表わされた重量によって高められたカバーへの安定性を保証する。
【００３５】
１つ又は２つ以上の締結具３４は、弾性カバー２４Ａに沿った間隔を置かれた位置に配置された適切な開口を貫通しており、各締結具は更に位置決め部材６０内へ延びている。締結具３４は、ねじ、ボルト、リベット等を含んでいてよい。
【００３６】
図１及び図２に示された実施形態によれば、カバーアセンブリは、間隙１４に亘って配置された選択的な湿気防止部材を有していてよい。湿気防止部材は、カバーアセンブリの下側を湿気及び異物から遮断する。遮断された容積に進入するおそれのある材料の排出を促進するために、排出チューブが湿気防止部材と一体形成されていてよい。
【００３７】
さらに図１を参照すると、間に間隙１４を備えた２つの構造部材１０及び１２が設けられている。各構造部材１０及び１２はブロックアウト１０Ａ及び１２Ａを有している。ベース部材１８及び２０は、ブロックアウト内の各構造部材１０及び１２と係合させられている。示されたベース部材はそれぞれ支持領域を有しており、これらの支持領域は、幅広のプレート領域と、リブと、牽引構成要素の底側縁部とを有している。ベース部材は、コンクリートボルト及びエラストマコンクリートを用いて構造部材１０及び１２に取り付けられている。両ベース部材１８及び２０は、円形の断面を備える雌軌道を有している。位置決め部材６０は、この雌軌道によってベース部材１８及び２０と係合させられている。雌軌道によってベース部材１８及び２０と接触して位置決め部材６０の構成要素は、部材６２を含む。図１に示されているように、部材６２は、実質的に球形でかつ端部においてベース部材２０における雌軌道と係合させられた一方の端部と、実質的に円筒形でかつ端部においてベース部材１８における雌軌道と係合した別の端部とを有している。部材６２は、孔（図示せず）を有しており、この孔を通って、雄ねじ山付き締結具がカバープレート２４から保持構成要素６８へ通過する時に前記雄ねじ山付き締結具３４が貫通する。図１に示された実施形態において、保持構成要素６８は、力が雄ねじ山付き締結具３４と保持構成要素６８との間で伝達されるように、雄ねじ山付き締結具３４に係合するための雌ねじ山付き穴を有している。
【００３８】
カバープレート２４の細長い弾性カバーは、支持面２７とは反対側の交通支持面２６を有している。細長い弾性カバー２４Ａは、この弾性カバーの向き合った側縁部に沿って縁部支持領域と、２つのベース部材１８及び２０の間の間隙１４に架設されるための第１の剛性プレート部材３０と、第１の剛性プレート部材３０の向き合った側部に沿って延びるように細長い弾性カバー２４と係合させられた２つの付加的な剛性プレート部材２８及び３２とを有している。第１の剛性プレート部材３０及び２つの付加的な剛性プレート部材２８及び３２は、細長い弾性カバー２４Ａ内に包囲されて示されている。細長い弾性カバー２４Ａの支持面２７は、ベース部材１８及び２０と接触して示されておりかつベース部材１８及び２０によって支持されている。また、カバープレート２４は締結具３４によって位置決め部材６０と係合させられている。湿気遮断部材及び排出チューブは、位置決め部材６０の下方において間隙１４を横切って装着されている。
【００３９】
図２に示された実施形態によれば、間に間隙１４を備えた２つの構造部材１０及び１２が設けられている。各構造部材１０及び１２は、１０Ａ及び１２Ａによって示されたブロックアウト領域を有する。ベース部材１８及び２０は、各構造部材１０及び１２と係合させられている。示された各ベース部材１８及び２０は、支持領域を有しており、この支持領域は、フランジ領域５１Ａ，５１Ｂ、リブ５２Ａ，５２Ｂ、及び軌道構成要素５３Ａ，５３Ｂの底側縁部を含む。ベース部材１８及び２０は、コンクリートボルト及びエラストマコンクリートを用いて構造部材１０及び１２に取り付けられている。両ベース部材１８及び２０は、円形の断面を備える雌軌道を有している。位置決め部材６０は、この雌軌道によってベース部材１８及び２０と係合させられている。雌軌道を介してベース部材１８及び２０と係合する位置決め部材６０の構成要素は、カバープレート位置決め部材６２である。
【００４０】
図２に示されているように、部材６２は、実質的に球形でありかつ端部においてベース部材２０における雌軌道と係合させられた一方の端部と、実質的に円筒形でありかつ端部においてベース部材２０における雌軌道と係合した別の端部とを有している。図２に示された実施形態において、部材６２は、穴（図示せず）を有しており、この穴を、雄ねじ山付き締結具３４がカバーから保持構成要素６８まで通過する時に前記同じ山付き締結具３４が貫通する。抵抗構成要素６４は、部材６２の下側と接触しており、締結具３４を包囲している。抵抗構成要素６４の他方の端部において、抵抗構成要素６４は保持構成要素６８と接触している。保持構成要素６８は、力が雄ねじ山付き締結具３４と保持構成要素６８との間で伝達されるように雄ねじ山付き締結具３４に係合するための雌ねじ山付き穴を有している。細長い弾性カバー５０は、支持面２７とは反対側の交通支持面２６を有している。細長い弾性カバー５０は、弾性カバーの向き合った側縁部に沿った縁部支持領域と、２つのベース部材１８及び２０の間の間隙１４に架設されるための第１の剛性プレート部材４２と、第１の剛性プレート部材４２の向き合った側部に沿って延びるように細長い弾性カバー５０によって係合された２つの付加的な剛性プレート部材４０及び４４を有している。第１の剛性プレート部材４２及び２つの付加的な剛性プレート部材４０及び４４は、カバープレート２４の弾性カバー５０内に包囲されて示されている。細長い弾性カバー２５０の支持面は、ベース部材１８及び２０と接触して示されており、ベース部材１８及び２０によって支持されている。また、細長い弾性カバー５０は締結具３４によって位置決め部材６０と係合させられている。湿気遮断部材５４及び排出チューブ５５は、位置決め部材６０の下方において間隙１４を横切って装着されている。
【００４１】
図３に示された実施形態によれば、間に間隙１４を備えた２つの構造部材１０及び１２が設けられている。各構造部材１０及び１２はブロックアウト領域１０Ａ及び１２Ａを有する。ベース部材１８及び２０は、ブロックアウト内において各構造部材１０及び１２と係合させられている。示された各ベース部材１８及び２０は、プレート領域を含む支持領域を有する。図３に示されているように、ベース部材１８及び２０は、接着剤又はエラストマコンクリートを用いた結合を促進するための構造１８Ａ，１８Ｂを有している。ベース部材１８及び２０は、軌道部材１９Ａ，１９Ｂに取り付けられている。軌道部材１９Ａ，１９Ｂは、伸縮ボルト１９Ｃ，１９Ｄ及びエラストマコンクリートを用いて構造部材１０及び１２に取り付けられている。両ベース部材１８及び２０は、円形の断面を有する雌軌道１９Ａ，１９Ｂと係合させられている。位置決め部材６０が、この雌軌道によってベース部材１８及び２０と係合させられている。図３に示されているように、部材６２は、実質的に球形でありかつ端部においてベース部材２０の雌軌道１９Ｂと係合した一方の端部と、実質的に円筒形でありかつ端部においてベース部材３０における雄軌道１９Ａと係合した別の端部とを有している。部材６２は、穴（図示せず）を有しており、この穴を、雄ねじ山付き締結具３４がカバーから保持スタッド６８まで通過する時に前記雄ねじ山付き締結具３４が貫通する。抵抗構成要素６４は、部材６２の下側と接触しており、締結具３４を包囲している。抵抗構成要素６４の他方の端部において、抵抗構成要素６４は保持構成要素６８と接触している。図３に示された実施形態において、保持構成要素は、力が雄ねじ山付き締結具３４と保持スタッド６８との間で伝達されるように雄ねじ山付き締結具３４に係合するための雌ねじ山付き穴を有している。細長い弾性カバー７０は、支持面２７とは反対側の交通支持面２６を有している。細長い弾性カバー７０は、この弾性カバーの向き合った側縁部に沿った縁部支持領域と、２つのベース部材１８及び２０の間の間隙１４に架設されるための第１の剛性プレート部材３０と、第１の剛性プレート部材３０の向き合った側縁部に沿って延びるように細長い弾性カバー７０によって係合された２つの付加的の剛性プレート部材２８及び３２を有している。第１の剛性プレート部材及び２つの付加的な剛性プレート部材２８及び３２は、細長い弾性カバー７０内に包囲されて示されている。細長い弾性カバー２４の支持面２７は、ベース部材１８及び２０と接触して示されており、ベース部材１８及び２０によって支持されている。また、カバープレート２４は、締結具３４によって位置決め部材６０と係合させられている。
【００４２】
カバーアセンブリは、２つの構造部材の間の滑らかな交通移行を促進するために、あらゆる２つの構造部材の間の開口又は間隙に架設されるために使用されることができる。カバーアセンブリは、水平方向にずれた部材、垂直方向にずれた構造部材、又は水平方向及び垂直方向にずれた（水平方向／垂直方向ずれ）部材の間の開口又は間隙に架設されるために使用される。例えば、制限なく、カバーアセンブリは、水平方向及び垂直方向にずれるように設計された又は異なるコンクリート定着率又はその他の変位による水平方向及び水平方向にずれるコンクリートスラブ等の構造部材に架設されるために使用されることができる。
【００４３】
２つの向き合ったコンクリート部材又はスラブの間により大きな垂直方向のずれ又は傾斜が存在する場合、向き合った構造部材の間の間隙に架設される剛性プレート部材は、永久曲げを含むことができる。剛性プレート部材に曲げを提供することは、車両及び歩行者交通のための大きな垂直方向のずれを有する向き合った構造部材の間のより滑らかな移行を提供する。
【００４４】
上述のように、コンクリート構造部材の表面はしばしば全体的に均一ではなく、しばしば正方形又は滑らかな面を備えて製造されていない。これらのコンクリート構造部材はしばしば粗く、しばしば実質的に不規則な又は波形の間隙を有しており、時にはコンクリートの全体的なかなりの量を損失している。金属プレートは従来カバープレートアセンブリにおいて使用されているが、コンクリート構造部材の輪郭に適合することができず、したがって、歩行者及び車両交通のための潜在的な危険が存在する。カバーアセンブリの実施形態は、構造部材においてしばしばみられる不規則な又は波形の輪郭に適合するために、提供される荷重に応答して弾性変形することができるエラストマ弾性材料から製造されていてよい。カバーアセンブリは、構造部材の不規則な表面を横切って滑らかな移行のための手段を提供し、コンクリートスラブ等の構造部材の不規則な表面に関連した危険を実質的に排除する。
【００４５】
幾つかの実施形態において、カバーアセンブリは、建築作業員の滑らかな通過を許容するための建築構造物の建築中における一時的な伸縮継手カバーとして使用されることができ、建築構造物における伸縮継手を横切る機器として使用されることができる。
【００４６】
カバーアセンブリは、様々な図に示されているように、例示的な実施形態に関して説明されているが、これらから逸脱することなく、同じ機能を行うために、その他の同様の実施形態が使用されてよいか又は説明された実施形態に対して変更及び付加がなされてよいことが理解されるべきである。さらに、様々な例示的な実施形態は、所望の結果を得るために組み合わされてよい。したがって、カバーアセンブリは、１つの実施形態に限定されるべきではなく、添付の請求項の文言に従って広さ及び範囲が解釈されるべきである。
【符号の説明】
【００４７】
１０，１２  構造部材、  １０Ａ，１２Ａ  ブロックアウト領域、  １４  間隙、  １８，２０  ベース部材、  ２２  カバーアセンブリ、  ２４  カバープレート、  ２４Ａ  弾性カバー、  ２４Ｂ  テーパした面、  ２６  荷重支持面、  ２６Ａ  リブ、  ２７  支持面、  ２８，３０，３２  プレート部材、  ３４  係止締結具、  ４０，４２，４４  剛性プレート部材、  ５０  弾性カバー、  ５１Ａ，５１Ｂ  フランジ領域、  ５２Ａ，５２Ｂ  リブ、  ５３Ａ，５３Ｂ  軌道構成要素、  ５４  湿気遮断部材、  ５５  排出チューブ、  ６０  位置決め部材、  ６２  カバープレート位置決め部材、  ６４  抵抗構成要素、  ６８  保持構成要素、  ７０  弾性カバー
【図１】
2010510416.tif 000003
【図２】
2010510416.tif 000004
【図３】
2010510416.tif 000005
【国際調査報告】
2010510416.tif 000006
2010510416.tif 000007